(57)【要約】【課題】アンモニアなどの脱臭機能および吸水機能に優れるとともに使用後の廃棄物を減らし、使用後再生を行わずとも安価に製造可能な消臭性と速分散性を有するねずみ科動物飼育用の紙質床敷を提供すること。【解決手段】ねずみ科動物１０が飼育される箱型ケージ１Ｒにおいてその底面に敷かれる紙質床敷５は、所定量のカルボキシル基を含有するカルボキシル基含有セルロース繊維を含み、塩基性ガスを吸収する機能と飼育終了後アルカリ処理で速やかに溶解、分散する機能とを併せ持つ。【選択図】図３
2009195121.tif 000002
【特許請求の範囲】
【請求項１】
ねずみ科動物が飼育される箱型ケージにおいて前記箱型ケージの底面に敷かれる紙質床敷であって、
前記紙質床敷きは、所定量のカルボキシル基を含有することにより、塩基性ガスを吸収する機能と飼育終了後アルカリ処理で速やかに溶解、分散する機能とを併せ持つカルボキシル基置換セルロース繊維を含むことを特徴とするねずみ科動物飼育用の紙質床敷。
【請求項２】
請求項１に記載のねずみ科動物飼育用の紙質床敷において、
前記カルボキシル基は、カルボキシメチル基であることを特徴とするねずみ科動物飼育用の紙質床敷。
【請求項３】
請求項１に記載のねずみ科動物飼育用の紙質床敷において、
前記カルボキシル基置換セルロース繊維は、前記カルボキシル基を置換度として０．２乃至１．０モル／グルコース含有することを特徴とするねずみ科動物飼育用の紙質床敷。
【請求項４】
請求項１に記載のねずみ科動物飼育用の紙質床敷において、
前記紙質床敷きは、前記カルボキシル基置換セルロース繊維とセルロース繊維の混合抄紙により製造されることを特徴とするねずみ科動物飼育用の紙質床敷。
【請求項５】
請求項１から４のいずれかに記載のねずみ科動物飼育用の紙質床敷において、
前記紙質床敷きは、前記カルボキシル基置換セルロース繊維を含む薄板を水溶性の糊で貼り合わせた積層構造に形成されていることを特徴とするねずみ科動物飼育用の紙質床敷。
【請求項６】
請求項１から４のいずれかに記載のねずみ科動物飼育用の紙質床敷において、
前記紙質床敷きの坪量は、２００乃至２０００ｇ／ｍ２であることを特徴とするねずみ科動物飼育用の紙質床敷。
【請求項７】
請求項１から４のいずれかに記載のねずみ科動物飼育用の紙質床敷において、
前記紙質床敷きは、所定の大きさのチップに裁断されていることを特徴とするねずみ科動物飼育用の紙質床敷。
【請求項８】
請求項１から４のいずれかに記載のねずみ科動物飼育用の紙質床敷において、
前記紙質床敷きは、エンボス加工などにより凹凸が付与されていることを特徴とするねずみ科動物飼育用の紙質床敷。
【発明の詳細な説明】
【技術分野】
【０００１】
本発明は、哺乳類げっ歯目ねずみ科等の小動物（ラット、モルモット、マウス等）が飼育されるケージに用いる紙質床敷に関し、特に消臭性と速分散性を有するねずみ科動物飼育用の紙質床敷に関する。
【背景技術】
【０００２】
従来より、医学の研究や実験あるいは薬の開発には、ラットやマウス等の実験動物の飼育が欠かせないものとなっている。こうした実験用小動物は、衛生的な環境において箱型のケージで飼育されている。
【０００３】
一般に使われている実験動物飼育用の床敷は木材チップ、パルプを加工した紙製品である。このような床敷をケージ内に敷くことにより、糞尿に対する吸水効果が得られ、ケージ内で適量の水と餌を与え所定の投薬を行うラット、モルモットなどの実験用小動物に掛かるストレスを少なくしている。
【０００４】
ＩＬＡＲ（Ｉｎｓｔｉｔｕｔｅ  ｏｆ  Ａｎｉｍａｌ  Ｒｅｓｏｕｒｃｅｓ）による動物実験に関する指針に依れば、このような床敷は毎日あるいは１週間毎に新品と交換することが推奨されているため、床敷は約一週間使用後、付着した糞尿とともに廃棄、焼却処理される。従って、これらの床敷は使用後、大量の廃棄物の発生を招き、廃棄費用もかかるし焼却によって生ずる炭酸ガスなどの環境問題も生ずる。また、前記指針によれば、アンモニアのような毒性のあるいは臭気を起すガスは許容限界まで除去しなければならないとされているが、これらの床敷は飼育中に発生するアンモニアなどの塩基性有害ガスを吸収する能力はきわめて低い。
【０００５】
これらの課題を解決させる為に、特許文献１においては再生可能なセルロースにカルボキシル基を結合させた布を床敷材として用いることが開示されている。
【特許文献１】特開２００４−１９４６０２号公報
【発明の開示】
【発明が解決しようとする課題】
【０００６】
特許文献１に記載された床敷によれば、床敷のセルロース繊維に塩基性ガスを吸収する機能が付与された改質セルロース布が用いられているため、改質セルロース布が糞尿から発生するアンモニアなどの塩基性ガスを脱臭するとともにセルロース繊維本来の性質を保持しているので吸水機能も発揮する。更には、この改質セルロース布を洗濯乾燥させれば脱臭機能および吸水機能はほぼ回復でき、リサイクル性に優れた床敷となっている。しかしながら、改質セルロース布の十分な機能回復には洗濯とともに酸処理を必要とし工程が煩雑であること、従来品である紙製品に比べ価格が高くなっており、さらに優れた床敷が求められていた。
【０００７】
本発明は、以上のような課題を解決するためになされたものであり、アンモニアなどの脱臭機能および吸水機能に優れるとともに使用後の廃棄物を減らし、使用後再生を行わずとも安価に製造可能な消臭性と速分散性を有するねずみ科動物飼育用の紙質床敷を提供することを目的とする。
【課題を解決するための手段】
【０００８】
本発明者らは、上記課題を解決するために紙のセルロース繊維に着目し鋭意研究を重ねた。その結果、消臭機能および吸水機能に優れるとともに、水に速溶解分散可能でかつ衛生上安全かつ安価なカルボキシル基置換セルロース繊維を紙質床敷に適用することにより、上記課題を解決できることを見出し、本発明を完成するに至った。より具体的には、本発明は以下のようなものを提供する。
【０００９】
（１）  ねずみ科動物が飼育される箱型ケージにおいて前記箱型ケージの底面に敷かれる紙質床敷であって、前記紙質床敷きは、所定量のカルボキシル基を含有することにより、塩基性ガスを吸収する機能と飼育終了後アルカリ処理で速やかに溶解、分散する機能とを併せ持つカルボキシル基置換セルロース繊維を含むことを特徴とするねずみ科動物飼育用の紙質床敷。
【００１０】
（１）の発明におけるねずみ科動物飼育用の紙質床敷によれば、ねずみ科動物が飼育される箱型ケージにおいてアンモニアなど有害塩基性ガスを吸着する官能基（カルボキシル基）をセルロース繊維に化学的に結合させた紙質床敷であるため、飼育動物から有害ガスを取除き且つ吸水性を保持し飼育動物の生活環境を向上させることが出来る。また、動物飼育終了後、アルカリ処理により容易に溶解、分散が可能で紙状の形態は速やかに消失し、液状化させることが出来るため、糞尿とともに下水として排水処理することが可能である。
【００１１】
（２）  （１）に記載のねずみ科動物飼育用の紙質床敷において、前記カルボキシル基は、カルボキシメチル基であることを特徴とするねずみ科動物飼育用の紙質床敷。
【００１２】
（２）の発明におけるねずみ科動物飼育用の紙質床敷によれば、カルボキシメチル基置換セルロース繊維であるカルボキシメチルセルロース（ＣＭＣ）は、食品並びに医薬品に広く使用されている衛生上安全な素材であり、ねずみ科動物にも安心して使用できる。また、カルボキシメチルセルロースは工業的に大量に生産され、原料として好ましい。
【００１３】
（３）  （１）に記載のねずみ科動物飼育用の紙質床敷において、前記カルボキシル基置換セルロース繊維は、前記カルボキシル基の置換度として０．２乃至１．０モル／グルコース含有することを特徴とするねずみ科動物飼育用の紙質床敷。
【００１４】
（３）の発明におけるねずみ科動物飼育用の紙質床敷によれば、ねずみ科動物が飼育される箱型ケージにおいてアンモニアなど有害塩基性ガスを吸着することにより飼育動物から有害ガスを取除く機能、吸水性を保持する機能、および動物飼育終了後、アルカリ処理により速やかに溶解、分散する機能がこの領域であればいずれも確実に発揮される。
【００１５】
（４）  （１）に記載のねずみ科動物飼育用の紙質床敷において、前記紙質床敷きは、前記カルボキシル基置換セルロース繊維とセルロース繊維の混合抄紙により製造されることを特徴とするねずみ科動物飼育用の紙質床敷。
【００１６】
（４）の発明におけるねずみ科動物飼育用の紙質床敷によれば、動物飼育終了後、アルカリ処理により、カルボキシル基置換セルロース繊維が速やかに溶解、分散するため、紙質床敷を構成している残りのセルロース繊維も容易に分散することができるので、全体として速やかに液中に分散させることができる。
【００１７】
（５）  （１）から（４）のいずれかに記載のねずみ科動物飼育用の紙質床敷において、前記紙質床敷きは、前記カルボキシル基置換セルロース繊維を含む薄板を水溶性の糊で貼り合わせた積層構造に形成されていることを特徴とするねずみ科動物飼育用の紙質床敷。
【００１８】
（５）の発明におけるねずみ科動物飼育用の紙質床敷によれば、先ずカルボキシル基置換セルロース繊維を含む薄板を作成し、それを水溶性の糊により貼り合わせて形成されているので、柔軟性を持った紙質床敷きを得ることができ小動物にとって優れた住環境を提供できる。また、アルカリ処理のときもアルカリ液が速やかに浸透することができ、素早く溶解させることができる。水溶性の糊としては、ポリアクリル酸、カルボキシメチルセルロースナトリウム（ＣＭＣ−Ｎａ）などが好ましい。
【００１９】
（６）  （１）から（４）のいずれかに記載のねずみ科動物飼育用の紙質床敷において、前記紙質床敷きの坪量は、２００乃至２０００ｇ／ｍ２であることを特徴とするねずみ科動物飼育用の紙質床敷。
【００２０】
（６）の発明におけるねずみ科動物飼育用の紙質床敷によれば、紙質床敷におけるアンモニアなど有害塩基性ガスの吸着機能（紙質床敷内における有害塩基性ガスの拡散し易さ、カルボキシル基の有効表面積に関連）、吸水機能、およびアルカリ処理により速やかに溶解、分散する機能（アルカリ液の拡散し易さに関連）が、この領域であればいずれも確実に発揮される。
【００２１】
（７）  （１）から（４）のいずれかに記載のねずみ科動物飼育用の紙質床敷において、前記紙質床敷きは、所定の大きさのチップに裁断されていることを特徴とするねずみ科動物飼育用の紙質床敷。
（７）の発明におけるねずみ科動物飼育用の紙質床敷によれば、様々なサイズ、形状の箱型ケージに簡便に使用することができ、箱型ケージ内において好ましい小動物の飼育環境が得られる。
【００２２】
（８）  （１）から（４）のいずれかに記載のねずみ科動物飼育用の紙質床敷において、前記紙質床敷きは、エンボス加工などにより凹凸が付与されていることを特徴とするねずみ科動物飼育用の紙質床敷。
【００２３】
（８）の発明におけるねずみ科動物飼育用の紙質床敷によれば、凹凸が付与されているため柔軟性を持った紙質床敷きを得ることができ小動物にとって優れた住環境を提供できる。また、表面積が大きいため、アルカリ処理のときもアルカリ液が速やかに浸透することができ、素早く溶解させることができる。
【発明の効果】
【００２４】
本発明のねずみ科動物飼育用の紙質床敷によって、ねずみ科動物が飼育される箱型ケージにおいて、飼育動物から有害ガスを取除き且つ吸水性を保持し飼育動物の生活環境を向上させることができるとともに、動物飼育終了後、容易に溶解、分散が可能で紙状の形態は速やかに消失し、液状化させることができるため、糞尿とともに下水として排水処理することができる優れた紙質床敷が得られる。
【発明を実施するための最良の形態】
【００２５】
以下、本発明の一実施形態について、図面を参照しながら説明するが、本発明は、以下の実施形態に何ら限定されるものではなく、本発明の目的の範囲内において、適宜変更を加えて実施することができる。尚、説明が重複する箇所については、適宜説明を省略する場合があるが、発明の趣旨を限定するものではない。
【００２６】
図１は、ラット１０が飼育される箱型のケージ１Ｒの構成図である。図１のケージ１Ｒは透明ポリカーボネートで成型され、逆台形状の有底ケージである。ケージ１Ｒの上面はステンレスワイヤによる蓋２Ｒで覆われている。蓋２Ｒの一部は窪みが形成され、給水瓶３が差し込まれている。給水瓶３の奥には図示されていないが、ペレット状の餌が給餌される。
【００２７】
図１において、ケージ１Ｒの平底には本発明による紙質床敷シート４が複数枚重ねて敷かれている。紙質床敷シート４は、底面に直接敷くのでなく、底面に置かれた底網（図示せず）の上に敷くこともできる。紙質床敷シート４の厚さは湿った状態でもその形態が保持できる程度の厚さ即ち０．５乃至２．０ｍｍ程度が適当であるが、特に規定はない。また、紙質床敷シート４はケージ１Ｒの平底の形状（一般的には矩形）に対応した形状になっている。ケージ１Ｒ内において、ラット１０は給水瓶３から適量の水を与えられ、給餌されて飼育される。そして、ラット１０は紙質床敷シート４上に糞尿する。
【００２８】
図２は、複数のマウス１１が飼育される箱型のケージ１Ｍの構成図である。図２のケージ１Ｍは透明ポリカーボネートで成型され、逆台形状の有底ケージである。ケージ１Ｍの上面はステンレスワイヤによる蓋２Ｍで覆われている。蓋２Ｍの一部は窪みが形成され、給水瓶３が差し込まれている。給水瓶３の奥には図示されていないが、ペレット状の餌が給餌される。
【００２９】
図２は１匹の雄のマウス１１と複数匹の雌のマウス１１が混在する繁殖実験用のケージである。図２において、ケージ１Ｍの平底には本発明による紙質床敷シート４が複数枚重ねて敷かれている。図１と同様に、紙質床敷シート４は底面に直接敷くのでなく、底面に置かれた底網（図示せず）の上に敷いてもよい。ケージ１Ｍ内において、マウス１１は給水瓶３から適量の水を与えられ、給餌されて飼育される。ケージ１Ｍ内で、新生児のマウス１１が誕生した場合は、ケージ１Ｍ内で新生児のマウス１１も飼育される。そして、マウス１１は紙質床敷シート４上に糞尿する。
【００３０】
図３は、ラット１０が飼育される箱型のケージ１Ｒにおいて、その平底には本発明による紙質床敷チップ５が多数枚ランダムに重ねて敷かれている。紙質床敷チップ５は、紙質床敷シート４を適当なサイズ例えば１５ｍｍ乃至２０ｍｍ四方のサイズに裁断したものである。図１と同様に、紙質床敷チップ５は底面に直接敷くのでなく、底面に置かれた底網（図示せず）の上に敷いてもよい。紙質床敷チップ５の厚さは湿った状態でもその形態が保持できる程度の厚さ即ち０．５乃至２．０ｍｍ程度が適当であるが、特に規定はない。また、紙質床敷チップ５は、ケージ１Ｒの形状（一般的には矩形）に対応して、底面全体にわたりほぼ同じ厚みなるように敷かれている。図１と同様に、ケージ１Ｒ内において、ラット１０は給水瓶３から適量の水を与えられ、給餌されて飼育される。そして、ラット１０は紙質床敷チップ５上に糞尿する。
【００３１】
本発明による紙質床敷チップ５は、図２に示す複数のマウス１１が飼育される箱型のケージ１Ｍにおいても、その平底に多数枚ランダムに重ねて敷くことができることは言うまでもない。
【００３２】
ラット１０用のケージ１Ｒの外形寸法：幅（Ｗ）×奥行（Ｄ）×高さ（Ｈ）は、例えば、２７０×４４０×１８０（単位：ｍｍ）であり、マウス１１用のケージ１Ｍの外形寸法：幅（Ｗ）×奥行（Ｄ）×高さ（Ｈ）は、例えば、２２０×３２０×１３０（単位：ｍｍ）である。
【００３３】
ラット１０に較べてマウス１１は体長が小さい。一般的に、ラット１０用のケージ１Ｒは、マウス１１用のケージ１Ｍより外形寸法が大きい。しかし、ラット１０用のケージ１Ｒでマウス１１を飼育してもよい。
【００３４】
紙質床敷シート４は、このような異なる外形寸法に対応して、例えば、Ａ４判の大きさ２１０ｍｍ×２９７ｍｍとＢ４判の大きさ２５７ｍｍ×３６４ｍｍの床敷４を提供することが好ましい。
【００３５】
次に、本発明で使用される紙質床敷シート４、および紙質床敷チップ５について説明する。
【００３６】
本発明で使用される紙質床敷シート４、および紙質床敷チップ片５となる紙質材料は次のように規定される。基本的にはセルロース繊維（天然パルプ）とカルボシキル基置換セルロース繊維（カルボキシル化パルプ）の混合物であり、両者の混合比率はカルボシキル基置換セルロース繊維のカルボキシル基含量にもよるが、適当な抄紙性を維持し、かつ飼育終了後のアルカリ処理の際に円滑に溶解、分散し得るように選択される。具体的には、セルロース繊維（天然パルプ）とカルボシキル基置換セルロース繊維（カルボキシル化パルプ）の混合比率は、８：２乃至２：８が適当である。また、カルボシキル基置換セルロース繊維（カルボキシル化パルプ）のカルボキシル基含量は、置換度として０．２乃至１．０モル／グルコースが好ましい。
【００３７】
カルボシキル基置換セルロース繊維（カルボキシル化パルプ）としては、大量に市場供給されているカルボキシメチル化パルプが最も好ましい。具体的には、例えば、パルプを水に不溶な程度にカルボキシメチル化した遊離酸型カルボキシメチルセルロース（ＣＭＣ）を抄造してシート化したもの、あるいはカルボキシメチルセルロース（ＣＭＣ）に必要に応じて天然パルプ等を加えたものを抄紙したものを用いることができる。使用するカルボキシル化パルプとしては、これらに限られず、他のカルボシキル基置換セルロース繊維（カルボキシル化パルプ）であってもよいことは言うまでもない。
【００３８】
カルボキシル基を導入する反応としては、カルボキシメチル化の他に次のいくつかの既知の方法で実施可能である。カルボキシル基を有するビニールモノマー、例えばアクリル酸、メタクリル酸をセルロースにグラフト重合する方法、ＴＥＭＰＯ法によるセルロースの触媒的酸化による一級水酸基のカルボキシル基への変換（磯貝  明  著「繊維学会誌」５７巻  ６号、２００１年、Ｐ１６３参照）などが挙げられる。
【００３９】
そして、紙質材料において、カルボキシル基含有量は、置換度として０．２乃至１．０モル／グルコースが適当である。この範囲を越えるとカルボキシル基導入反応に長時間を要すること、試薬量が増加することなど経済的な不利を生ずるとともに吸水性の低下などセルロース繊維本来の機能が低下する。一方、この範囲に満たないと十分な消臭効果を得ることができない。なお、カルボキシル基の含有量は反応時間や試薬の量によって調整することが可能であり、カルボキシル基高置換のパルプと非置換のバルプによるとの混抄、あるいは混合によっても調整可能である。
【００４０】
上記紙原料以外に抄紙性能、紙の強度並びに柔軟性などを付与するために抄紙工程で一般的に使用される副原料を加えることも可能である。また、本発明に用いられるセルロース繊維としては製紙用木材パルプが最も適しているが、木綿、麻、再生セルロース繊維なども用いることが出来る。
【００４１】
このようにして生成されたカルボキシル基置換セルロースは、アンモニア、糞尿臭などの塩基性悪臭物質に対する吸着性に優れたもので、脱臭性素材としての作用を示すものである。
【００４２】
このカルボキシル基含セルロース繊維は、セルロース繊維（パルプ繊維）にカルボシキル基を導入させているが、このカルボン酸（ＣＯＯＨ）に悪臭の元であるアンモニア（ＮＨ３）が結合することによりカルボン酸アンモニウム（ＣＯＯＮＨ４）となり中和消臭される。
【００４３】
［化１］
Ｒ−ＣＯＯＨ＋ＮＨ３→Ｒ−ＣＯＯＮＨ４
【００４４】
このように生成されたカルボキシル基置換セルロース繊維は、塩基性悪臭物質を中和、吸着させるカルボキシル基と、セルロース繊維本来の吸収性などのすぐれた性能を併せ持つものである。
【００４５】
動物飼育終了後、本発明による紙質床敷は糞尿とともに適当量の水の入った水槽に移し、紙質床敷が溶解、分散するまでアルカリ剤を加える。アルカリ剤としては炭酸ナトリウム、水酸化ナトリウムなどが適当である。
【００４６】
このカルボキシル基含セルロース繊維は、セルロース繊維（パルプ繊維）にカルボシキル基を導入させているが、このカルボン酸（ＣＯＯＨ）は、アルカリ剤（例えば、炭酸ナトリウム、水酸化ナトリウム）によって水溶性のカルボン酸塩（例えば、カルボン酸ナトリウム塩ＣＯＯＮａ）になり、溶解、分散する。
【００４７】
［化２］
Ｒ−ＣＯＯＨ＋ＮａＯＨ→Ｒ−ＣＯＯＮａ＋Ｈ２Ｏ
［化３］
２（Ｒ−ＣＯＯＨ）＋Ｎａ２ＣＯ３→２（Ｒ−ＣＯＯＮａ）＋Ｈ２Ｏ＋ＣＯ２
【００４８】
このようにカルボキシル基置換セルロース繊維は、動物飼育終了後、アルカリ剤を加えることにより、廃棄、焼却処理をすることなく、溶解、分散させることにより容易に処理することができる。なお、溶解、分散に際しては水溶液の粘性が上昇するので使用する水の量は取扱が容易なように適宜増減させることが必要である。
【００４９】
紙質床敷シート４、および紙質床敷チップ片５の坪量は、２００乃至２０００ｇ／ｍ２であることが好ましい。これにより、紙質床敷におけるアンモニアなど有害塩基性ガスの吸着機能（紙質床敷内における有害塩基性ガスの拡散し易さ、カルボキシル基の有効表面積に関連）、吸水機能、およびアルカリ処理により速やかに溶解、分散する機能（アルカリ液の拡散し易さに関連）が確実に発揮される。
【実施例】
【００５０】
次に、本発明を実施例に基づいてさらに詳細に説明するが、本発明はこれに限定されるものではない。
【００５１】
＜実施例１＞
市販の製紙用パルプ７０重量を叩解し、これにエーテル化度０．３のカルボキシメチル化パルプ３０重量を加え、十分に離解、混合した後、常法の抄紙法で１平方メートル当り４００ｇの混抄紙を製造した。含水率３０％に乾燥後プレスし、更に８０℃で乾燥し厚さ０．５ｍｍの紙質床敷シートを製造した。次に、この紙質床敷シートを１５ｍｍ角に裁断し紙質床敷チップ５を作成した。
【００５２】
この紙質床敷チップ５を底面積４５０平方センチメートルの飼育用ケージ（底面の幅（Ｗ）×奥行（Ｄ）：１６０×２８０（単位：ｍｍ））に１００ｇ入れた。このケージにマウス５匹をいれ１週間飼育した。飼育中尿及びこぼれた飲料水で湿ることはあったが個々の紙質床敷チップ５の形態は変わらなかった。
【００５３】
１週間飼育後、ケージ内の汚れた紙質床敷チップ５を全て取り出し、取除きの容易な糞は分別し紙質床敷チップ５を４０リットルの容器に投入する。水１０リットルを加えこれに４％の水酸化ナトリウム液を滴下し、紙質床敷チップ５が完全に溶解、分散するまで加える。（好ましくは、カルボシキル基の中和相当量の１〜２倍を滴下）
軽く攪拌することにより、紙質床敷チップ５片は、約６０分で完全に溶解、分散した。溶解後の溶液がｐＨ１２であったので塩酸を加えｐＨ８に調整した。こうして得た溶液を分別した糞とともにし尿処理層に排水した。
【００５４】
＜実施例２＞
市販の製紙用パルプ７０重量を叩解し、これにエーテル化度０．３のカルボキシメチル化パルプ３０重量を加え、十分に離解、混合した後、常法の抄紙法で１平方メートル当り１５０ｇの混抄紙を製造した。含水率３０％に乾燥後プレスし、更に８０℃で乾燥し厚さ０．２ｍｍの紙質床敷シートを製造した。次に、この紙質床敷シート５枚を、水溶性の糊であるカルボキシメチルセルロースナトリウム（ＣＭＣ−Ｎａ）により貼り合わせて厚さ１．２ｍｍのシートを作成した。張り合わせ後のシートは、１平方メートル当り１０００ｇとなった。このシートをエンボス加工用の一対のローラーの間を通すことにより、表面に０．８ｍｍほどの凹凸を形成し紙質床敷シート４を作成した。このシート１００グラムをひだ状にして実施例１と同じ方法でマウス５匹を１週間飼育した。飼育中尿及びこぼれた飲料水で部分的に湿ることはあったが紙質床敷シート４の形態は変わらなかった。
【００５５】
１週間飼育後、実施例１と同様にアルカリ処理を行い、紙質床敷シート４は、約４０分で完全に溶解、分散した。同様に塩酸にて中性化処理を行い、し尿処理層に排水した。
【００５６】
＜アンモニア消臭効果の確認＞
図４は、本発明による紙質床敷チップ５（実施例１に示す製造法で作成したもの）と複数の市販紙製床敷との残存アンモニア濃度を比較したグラフである。図４の横軸は経過時間（単位：分）、縦軸は残存アンモニア濃度（単位：ｐｐｍ）である。
【００５７】
図４の残存アンモニア濃度線Ｇは、本発明による実施製品の紙質床敷チップ５の濃度データを示している。残存アンモニア濃度線Ａ〜Ｃは、比較される複数の市販紙製床敷の濃度データをそれぞれ示している。残存アンモニア濃度線Ｔは測定試料が無いときの試験容器内の濃度データを示している。図４に示されるように、残存アンモニア濃度線Ａ〜Ｃは、当初、アンモニア濃度が２２０ｐｐｍであったのが５分経過後はアンモニア濃度が２５％程減少し、約１６０ｐｐｍとなったが、その後は、残存アンモニア濃度線Ｔと同じ傾向で濃度が下がった。つまり、比較される市販紙製床敷においては、５分経過後は殆ど消臭能力を発揮していないと推察される。
【００５８】
測定試料は１．７ｇとし、測定試料を１リットルの試験容器となるポリプロピレン容器に密閉し、経過時間による試験容器内のアンモニア濃度を測定した。
一方、本発明による紙質床敷チップ５においては、残存アンモニア濃度線Ｇに示されるように、当初、アンモニア濃度が２２０ｐｐｍであったのが５分経過後はアンモニア濃度がほぼゼロとなり３０分経過後もその状態を維持した。
【図面の簡単な説明】
【００５９】
【図１】本発明に係る紙質床敷を用いたラットが飼育されるケージの構成図
【図２】本発明に係る紙質床敷を用いたマウスが飼育されるケージの構成図
【図３】本発明に係る別の紙質床敷を用いたラットが飼育されるケージの構成図
【図４】本発明に係る紙質床敷と市販の複数の紙製床敷との残存アンモニア濃度を比較したグラフ
【符号の説明】
【００６０】
１Ｒ  ケージ
１Ｍ  ケージ
３  給水ビン
４  紙質床敷シート
５  紙質床敷チップ
１０  ラット
１１  マウス
【図１】
2009195121.tif 000003
【図２】
2009195121.tif 000004
【図３】
2009195121.tif 000005
【図４】
2009195121.tif 000006